(57)【要約】【課題】環境にかける負荷を軽減するとともに高い透明度を得る。【解決手段】遊技機に使用される化粧シート５１であって、ポリ乳酸系重合体とガラス転移点Ｔｇが０℃以下である生分解性脂肪族ポリエステルとを有する生分解性樹脂からなる樹脂層６１を有し、樹脂層６１において、生分解性脂肪族ポリエステルの含有量がポリ乳酸系重合体１００重量部に対して７〜６０重量部であり、樹脂層６１が、日本工業規格Ｋ７１０５に規定されるヘーズが５以下の透明度を有する。【選択図】    図２
2004329429.tif 000002
【特許請求の範囲】
【請求項１】
遊技機に使用される化粧シートであって、
ポリ乳酸系重合体とガラス転移点Ｔｇが０℃以下である生分解性脂肪族ポリエステルとを有する生分解性樹脂からなる樹脂層を有し、
前記樹脂層が、日本工業規格Ｋ７１０５に規定されるヘーズが５以下の透明度を有するものである、
遊技機用の化粧シート。
【請求項２】
請求項１に記載の遊技機用の化粧シートであって、
前記樹脂層において、前記生分解性脂肪族ポリエステルの含有量が前記ポリ乳酸系重合体１００重量部に対して７〜６０重量部である、
遊技機用の化粧シート。
【請求項３】
請求項１又は請求項２に記載の遊技機用の化粧シートであって、
前記樹脂層の裏側には紙が貼着されている、
遊技機用の化粧シート。
【発明の詳細な説明】
【０００１】
【発明の属する技術分野】
本発明は、パチンコ機等の弾球遊技機の遊技盤のおもて面や回胴遊技機（スロットマシン）のドラムの周面に配設される化粧シートに関するものである。
【０００２】
【従来の技術】
図５に示すように、パチンコ機の遊技盤の基材２４０は、ベニア材等の板材によって形成され、そのおもて面には化粧シート２５０が配設（貼着）されている。
【０００３】
そして、従来の化粧シート２５０は、次のような構成を有している。
その化粧シート２５０の最もおもて側の層は、ポリプロピレン又はポリエチレンテレフタレート（ＰＥＴ）等の透明な合成樹脂板２６１であり、合成樹脂板２６１の裏面には、印刷によって、印刷塗膜層２６２が形成されている。こうして、合成樹脂板２６１に所定の図柄（模様及び色彩）が付されている。
印刷塗膜層２６２の裏側には、接着剤によって（すなわち、接着剤層２６３を介して）上質紙２６４が貼着されている。また、さらにその裏側にカーボンインク層２６５が配設される場合もある。
なお、化粧シート２５０の厚みは、例えば、０．２ｍｍ〜０．５ｍｍであり、そのうちの合成樹脂板２６１の厚みは、例えば、０．１０ｍｍ〜０．１２ｍｍである。
【０００４】
【発明が解決しようとする課題】
ところで、パチンコホールにおいては、遊技者の興趣を維持するために、パチンコ機が頻繁に入れ替えられている。
そして、その際、旧式のパチンコ機（遊技盤）の処理が問題となっている。
すなわち、従来の遊技盤の場合は、焼却処分すると、ダイオキシンの発生のおそれがある一方、埋め立て処分すると、分解せずほぼ永久に土壌中に残存するからである。
【０００５】
このため、遊技盤の化粧シート等のために、生分解性樹脂の層を有するシートが検討されている。
しかしながら、これまでの生分解性樹脂は透明度が低く、その裏側に配設された印刷塗膜層の内容（所定の図柄）が、おもて側から視認されにくかった。
【０００６】
そこで、本発明は、環境にあまり負荷をかけないとともに透明度の高い、遊技機用の化粧シートを提供することを目的とする。
【０００７】
【課題を解決するための手段】
上記の目的を達成するために、請求項１に係る発明は、遊技機に使用される化粧シートであって、ポリ乳酸系重合体とガラス転移点Ｔｇが０℃以下である生分解性脂肪族ポリエステルとを有する生分解性樹脂からなる樹脂層を有し、前記樹脂層が、日本工業規格Ｋ７１０５に規定されるヘーズが５以下の透明度を有するものである、遊技機用の化粧シートである。
【０００８】
上記の樹脂層では、生分解性を有するとともに、日本工業規格（ＪＩＳ）のＫ７１０５に規定されるヘーズが５以下の透明度が得られることが判明した。
すなわち、上記発明の化粧シートでは、樹脂層が自然環境中で分解するため環境にあまり負荷をかけないとともに、その樹脂層の裏側に設けられた印刷塗膜層が、その樹脂層の表側から、その樹脂層を通して、遊技者によって明確に視認される。
このため、上記発明の化粧シートでは、遊技機の機能を損なうことなく、環境にかける負荷を低減することができる。
【０００９】
請求項２に係る発明は、請求項１に係る発明の遊技機用の化粧シートであって、前記樹脂層において、前記生分解性脂肪族ポリエステルの含有量が前記ポリ乳酸系重合体１００重量部に対して７〜６０重量部である、遊技機用の化粧シートである。
【００１０】
上記の配分によって、良好な耐衝撃性及び熱成形の際の良好な作業性が得られる。すなわち、生分解性脂肪族ポリエステルの含有量が７重量部以上であることによって十分な耐衝撃性が得られ、６０重量部以下であることによって熱成形の際の良好な作業性が得られるのである。
【００１１】
請求項３に係る発明は、請求項１又は請求項２に係る発明の遊技機用の化粧シートであって、前記樹脂層の裏側には紙が貼着されている、遊技機用の化粧シートである。
【００１２】
上記の発明の化粧シートでは、樹脂層の裏側に紙が貼着されているため、樹脂層が薄く、かつ、化粧シートが貼着される基材に多少の凹凸が存在していても、その紙によって、その凹凸が化粧シートのおもて側から視認される、ということが防止される。また、同様に、樹脂層を通して基材の色が化粧シートのおもて側から視認される、ということが防止される。
このため、上記の発明の化粧シートでは、樹脂層が薄くても、使用された際に美しい外観を提供することができる。
【００１３】
【発明の実施の形態】
［実施形態１］
次に、本発明の実施形態１について図１及び図２に基づいて説明する。
まず、パチンコ機（弾球遊技機）の一例について、その概略を説明する。
図１に示すように、このパチンコ機（弾球遊技機）は筐体３０を有し、筐体３０の内部には、ほぼ鉛直な遊技盤１０が配設されている。遊技盤１０の手前側には、ガラス窓（図示省略）が設けられている。ガラス窓（遊技盤１０）の下方には、ハンドル１２や賞球払い出し装置（図示省略）が設けられている。
【００１４】
遊技盤１０には、外側レール１５及び内側レール１６が設けられており、内側レール１６の内側が遊技領域（符号省略）とされている。そして、遊技者がハンドル１２を操作することによって発射されたパチンコ球は、遊技領域へと導かれる。
【００１５】
遊技盤１０（遊技領域）には、多数の釘（図示省略）や風車２６が設けられているとともに、複数の普通入賞口２０が設けられている。普通入賞口２０にパチンコ球が入った場合には、例えば６又は１３個のパチンコ球が賞球として賞球払い出し装置から払い出される。
【００１６】
遊技盤１０のほぼ中央にはセンター役物２８が設けられている。センター役物２８の下方には始動入賞口２２が設けられ、その下方には大入賞口２４が設けられている。
そして、始動入賞口２２にパチンコ球が入ると、センター役物２８の表示部における図柄が所定の時間変動表示され、その後、最終的な図柄が静止表示される。静止表示された図柄には「当たり」と「はずれ」があり、「当たり」の場合には、大入賞口２４が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。
【００１７】
次に、図２に基づいて、遊技盤１０（化粧シート５１）について詳しく説明する。
図２（ａ）に示すように、遊技盤１０は、基材４０を有している。基材４０は、ベニア板等の板材によって形成されている。基材４０のおもて面（おもて側の面）には、化粧シート５１が貼着されている。
【００１８】
図２（ａ），（ｂ）に示すように、化粧シート５１は、おもて側から裏側にかけて、樹脂層６１，印刷塗膜層６２，接着剤層６３，上質紙６４を有している。
化粧シート５１の厚みは、例えば、０．０５ｍｍ〜０．５ｍｍである。
【００１９】
樹脂層６１は、次のように、ポリ乳酸系重合体、及び、ガラス転移点Ｔｇが０℃以下である生分解性脂肪族ポリエステルを主成分としている。
それによって、樹脂層６１は、日本工業規格（ＪＩＳ）のＫ７１０５に規定されるヘーズが５以下の透明度を有している。
【００２０】
ポリ乳酸としては、乳酸の構造単位がＬ−乳酸であるポリＬ−乳酸、構造単位がＤ−乳酸であるポリＤ−乳酸、さらには、Ｌ−乳酸とＤ−乳酸の共重合体であるポリＤＬ−乳酸がある。またこれらの混合体もある。
【００２１】
重合法としては縮重合法、開環重合法など公知のいずれの方法を採用することができる。例えば、縮重合法ではＬ−乳酸またはＤ−乳酸あるいはこれらの混合物を直接脱水縮重合して任意の組成を持ったポリ乳酸を得ることができる。
【００２２】
生分解性脂肪族ポリエステルの含有量は、前記ポリ乳酸系重合体１００重量部に対して７〜６０重量部である。
【００２３】
生分解性脂肪族ポリエステルとしては、ポリ乳酸系重合体を除く生分解性脂肪族ポリエステル、例えば、脂肪族ジオールと脂肪族ジカルボン酸を縮合して得られる脂肪族ポリエステル、環状ラクトン類を開環重合した脂肪族ポリエステル、合成系脂肪族ポリエステル、菌体内で生合成される脂肪族ポリエステル等が挙げられる。
【００２４】
脂肪族ジオールと脂肪族ジカルボン酸を縮合して得られる脂肪族ポリエステルは、脂肪族ジオールであるエチレングリコール、１，４−ブタンジオールおよび１，４−シクロヘキサンジメタノール等と、脂肪族ジカルボン酸であるコハク酸、アジピン酸、スベリン酸、セバシン酸およびドデカン二酸等の中から、それぞれ１種類以上選んで縮合重合して得られる。必要に応じてイソシアネート化合物等でジャンプアップして所望のポリマーを得ることができる。
【００２５】
環状ラクトン類を開環重合した脂肪族ポリエステルとしては、環状モノマーであるε−カプロラクトン、δ−バレロラクトン、β−メチル−δ−バレロラクトン等が代表的に挙げられ、これらから１種類以上選ばれて重合される。
【００２６】
合成系脂肪族ポリエステルとしては、環状酸無水物とオキシラン類、例えば、無水コハク酸とエチレンオキサイド、プロピレンオキサイド等との共重合体等が挙げられる。
【００２７】
菌体内で生合成される脂肪族ポリエステルとしては、アルカリゲネスユートロファスを始めとする菌体内でアセチルコエンチームＡ（アセチルＣｏＡ）により生合成される脂肪族ポリエステルが知られている。この脂肪族ポリエステルは、主にポリ−β−ヒドロキシ酪酸（ポリ３ＨＢ）であるが、プラスチックとしての実用特性向上のために、吉草酸ユニット（ＨＶ）を共重合し、ポリ（３ＨＢ−ｃｏ−３ＨＶ）の共重合体にすることが工業的に有利である。ＨＶ共重合比は一般的に０〜４０％である。さらに長鎖のヒドロキシアルカノエートを共重合してもよい。
【００２８】
印刷塗膜層６２は、樹脂層６１の裏面に対して、次のようなインクによる印刷によって形成されている。そのインクの成分が表１に示されている。
【００２９】
【表１】
2004329429.tif 000003
【００３０】
すなわち、そのインクでは、大豆を主原料とする樹脂が使用されている。
【００３１】
上述のようにしてその裏面に印刷塗膜層６２が形成された樹脂層６１が、接着剤によって（すなわち、接着剤層６３を介して）、上質紙６４に対して貼着されている。
【００３２】
接着剤層６３を形成する接着剤は、主成分としてコーンスターチ，澱粉等を原材料とする天然の植物系の糊を有するものである。そして、その接着剤は、ホルムアルデヒド等の有害成分を含有していない。
【００３３】
次に、上述の化粧シート５１の作用及び効果について説明する。
この化粧シート５１では、樹脂層６１が生分解性樹脂からなるため、環境にかける負荷が軽減される。また、印刷塗膜層６２及び接着剤層６３も環境にかける負荷が小さいため、その点でも、化粧シート５１として環境にかける負荷が軽減される。
また、樹脂層６１が、日本工業規格Ｋ７１０５に規定されるヘーズが５以下の透明度を有するため、樹脂層６１の裏側の印刷塗膜層６２が化粧シート５１のおもて側から樹脂層６１を通して十分に視認される。
【００３４】
また、この化粧シート５１は、その裏側に上質紙６４を有するため、ベニア板等の板材によって形成されている基材４０のおもて面に細かな凹凸があっても、その凹凸が化粧シート５１のおもて側から視認されない（又は、視認されにくい）。同様に、基材４０の色も化粧シート５１のおもて側から視認されない（又は、視認されにくい）。
こうして、この化粧シート５１では美しい外観を提供することができる。
【００３５】
［実施形態２］
次に、本発明の実施形態２について、実施形態１との相違点を中心に、図３に基づいて説明する。実施形態１と同一の要素については、同一の符号を付して、その説明を適宜省略する（以下同様である）。
【００３６】
図３（ａ），（ｂ）に示すように、化粧シート５２は、おもて側から裏側にかけて、樹脂層６１，接着剤層６３，印刷塗膜層６２，上質紙６４を有している。
【００３７】
上質紙６４のおもて面に対して印刷塗膜層６２が設けられ、そのおもて面に対して、接着剤によって（すなわち、接着剤層６３を介して）樹脂層６１が貼着されている。接着剤層６３を形成する接着剤は、できるだけ透明度の高いものが使用される。
【００３８】
以上のようにして、この実施形態２の化粧シート５２でも、実施形態１の化粧シート５１とほぼ同様の効果が得られる。
【００３９】
［実施形態３］
次に、本発明の実施形態３について、実施形態１との相違点を中心に、図４に基づいて説明する。
まず、スロットマシン（回胴遊技機）の一例について、その概略を説明する。なお、このスロットマシンは、パチスロとも呼ばれている。
そのスロットマシンは筐体１３０を有し、筐体１３０の内部には、複数個（例えば３個）のドラム１１０ａ〜１１０ｃが並列的に配設されている。各ドラム１１０ａ〜１１０ｃは円筒状の形状を有し、その周面には複数個の図柄が表示されている。各ドラム１１０ａ〜１１０ｃは、スロットマシンの幅方向に延びる回転軸線を中心に回転するようにされている。
ドラム１１０ａ〜１１０ｃの手前側には、ガラス窓（図示省略）が設けられている。ガラス窓の下方には、スタートレバー１２０，複数（この場合３個）の停止ボタン１２２ａ〜１２２ｃが設けられている。各停止ボタン１２２ａ〜１２２ｃは、各ドラム１１０ａ〜１１０ｃに対応している。
【００４０】
そして、スタートレバー１２０が操作されることに基づいて、各ドラム１１０ａ〜１１０ｃが回転を開始し、各停止ボタン１２２ａ〜１２２ｃが押されることに基づいて、各ドラム１１０ａ〜１１０ｃが回転を停止する。そして、各ドラム１１０ａ〜１１０ｃが静止表示する図柄（正確にいえば、停止した状態において各ドラム１１０ａ〜１１０ｃの前面に位置する図柄）には「当たり」と「はずれ」があり、「当たり」の場合には（例えば「７７７」）、複数枚のコインが払い出される。
【００４１】
各ドラム１１０ａ〜１１０ｃは、合成樹脂又は金属からなる円筒状の基材（図示省略）を有し、基材のおもて面（周面）には、化粧シート（図示省略）が貼着されている。
そして、その化粧シートは、実施形態１の化粧シート５１から接着剤層６３及び上質紙６４が除去された形態（すなわち、接着剤によって上質紙６４に対して貼着される前の状態）を有している。
そして、その化粧シートでは、実施形態１の化粧シート５１と同様の効果が得られる。
【００４２】
なお、上記のものはあくまで本発明の一実施形態にすぎず、当業者の知識に基づいて種々の変更を加えた態様で本発明を実施できることはもちろんである。
【００４３】
例えば、実施形態１において、接着剤層６３を形成する接着剤は、天然の植物系のものではないタイプのものでもよい。
また、実施形態１の化粧シート５１，実施形態２の化粧シート５２も、実施形態３において説明したスロットマシンの各ドラム１１０ａ〜１１０ｃに対して使用され得る。
【００４４】
【発明の効果】
以上説明したように、本発明の遊技機用の化粧シートでは、環境にかける負荷が軽減されるとともに、印刷塗膜層の内容が当該化粧シートのおもて側から十分に視認される。
【図面の簡単な説明】
【図１】本発明の実施形態１等の化粧シートが使用されたパチンコ機を示す正面図である。
【図２】（ａ）は、本発明の実施形態１の遊技盤の拡大分解断面図である。（ｂ）は、そのうちの化粧シートの拡大分解断面図である。
【図３】（ａ）は、本発明の実施形態２の遊技盤の拡大分解断面図である。（ｂ）は、そのうちの化粧シートの拡大分解断面図である。
【図４】本発明の実施形態３等の化粧シートが使用されたスロットマシンを示す正面図である。
【図５】（ａ）は、従来の遊技盤の拡大分解断面図である。（ｂ）は、そのうちの化粧シートの拡大分解断面図である。
【符号の説明】
１０  遊技盤
５１，５２  化粧シート
６１  樹脂層
１１０ａ〜１１０ｃ  ドラム
【図１】
2004329429.tif 000004
【図２】
2004329429.tif 000005
【図３】
2004329429.tif 000006
【図４】
2004329429.tif 000007
【図５】
2004329429.tif 000008